(57)【要約】【課題】コアキシャルインターフェイス方式で伝送する電源を選択可能なＢＳモデム及びアンテナ制御システムを提供する。【解決手段】電圧の異なる電源信号を伝送する電源ラインが複数接続され、当該複数の電源ラインのうち、所望の電源ラインからの電源信号を給電線１２に出力するように切り替える電源切替回路３を備えたものである。【選択図】図１
2013183340.tif 000002
【特許請求の範囲】
【請求項１】
ＡＩＳＧ規格に準拠してアンテナの制御を行うＡＩＳＧデバイスと、
前記ＡＩＳＧデバイスに制御信号と電源信号を送信する制御装置と、
前記アンテナと無線機とを接続する給電線の途中に設けられると共に、前記ＡＩＳＧデバイスが接続され、入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、を備えたアンテナ制御システムに用いられ、
前記アンテナモデムよりも前記無線機側の前記給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムであって、
電圧の異なる電源信号を伝送する電源ラインが複数接続され、当該複数の電源ラインのうち、所望の電源ラインからの電源信号を前記給電線に出力するように切り替える電源切替回路を備えた
ことを特徴とするＢＳモデム。
【請求項２】
前記制御装置と別体に設けられた給電装置が接続される外部電源入力用コネクタをさらに備え、
前記給電装置から前記外部電源入力用コネクタを介して入力された電源信号を、当該電源信号の電圧に応じた電源ラインを介して前記電源切替回路に入力するように構成した
請求項１記載のＢＳモデム。
【請求項３】
前記制御装置から入力された電源信号から、当該電源信号と異なる電圧の電源信号を生成して出力するＤＣ／ＤＣコンバータをさらに備え、
前記制御装置から入力された電源信号と前記ＤＣ／ＤＣコンバータで生成した電源信号とを、電源信号の電圧に応じた電源ラインを介して前記電源切替回路に入力するように構成した
請求項１または２記載のＢＳモデム。
【請求項４】
前記電源切替回路から前記給電線に出力される電源信号の電圧を表示する表示手段をさらに備えた
請求項１〜３いずれかに記載のＢＳモデム。
【請求項５】
ＡＩＳＧ規格に準拠してアンテナの制御を行うＡＩＳＧデバイスと、
前記ＡＩＳＧデバイスに制御信号と電源信号を送信する制御装置と、
前記アンテナと無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、モデム回路にて変調信号を復調して制御信号に戻し、制御信号と電源信号を前記ＡＩＳＧデバイスに、分離後の給電信号を前記アンテナ側の前記給電線に出力するアンテナモデムと、
を備えたアンテナ制御システムにおいて、
前記ＢＳモデムは、
電圧の異なる電源信号を伝送する電源ラインが複数接続され、当該複数の電源ラインのうち、所望の電源ラインからの電源信号を前記給電線に出力するように切り替える電源切替回路を備えた
ことを特徴とするアンテナ制御システム。
【発明の詳細な説明】
【技術分野】
【０００１】
本発明は、ＡＩＳＧ（Antenna Interface Standards Group）規格に準拠してアンテナの制御を行うアンテナ制御システムに用いられるＢＳモデム及びアンテナ制御システムに関するものである。
【背景技術】
【０００２】
移動通信用の無線基地局では、一般に、アンテナのチルト制御を遠隔制御により行えるようになっている。当初は、アンテナの制御方式としてメーカーごとに独自の方式を用いていたが、近年のＬＴＥ（Long Term Evolution）無線基地局などでは、アンテナの制御をＡＩＳＧ規格で行うことが多くなっている。ＡＩＳＧ規格は、アンテナの基本的な相互運用を確実にすべく標準化された規格である（例えば、特許文献１参照）。
【０００３】
通常、無線基地局のアンテナや、アンテナの制御を行うＲＥＴ（Remote Electrical Tilt）ユニットなどのＡＩＳＧデバイス（ＡＩＳＧ端末機器）は、鉄塔の上部やビルの屋上など高い位置に配置される。他方、アンテナに給電を行う無線機や、ＡＩＳＧデバイスを制御する制御装置（ＡＩＳＧ制御装置）は、鉄塔の下部など低い位置に配置されるのが一般的である。ここで、制御装置は、ＡＩＳＧデバイスに制御信号（ＲＳ４８５規格信号）を送信し、ＡＩＳＧデバイスを制御してアンテナの制御を行うと共に、ＡＩＳＧデバイスに電源を供給するものである。
【０００４】
アンテナと無線機とは同軸ケーブルからなる給電線（ＲＦ給電線）により接続され、ＡＩＳＧデバイスと制御装置とはＡＩＳＧ規格に準拠した制御ケーブル（ＡＩＳＧ制御ケーブル）により接続されるので、例えばアンテナとＡＩＳＧデバイスを鉄塔の上部に、無線機と制御装置を鉄塔の下部に配置する場合には、鉄塔の上部から下部にわたって、給電線と制御ケーブルの２本のケーブルが敷設されることになる。
【０００５】
しかし、例えば数十ｍと高い鉄塔においては、鉄塔の上部から下部にわたってケーブルを敷設することは非常に手間がかかり、工事にかかるコストも高くなってしまう。この問題を解決するため、ＡＩＳＧ規格では、コアキシャルインターフェイス（Coaxial Interface）またはモデムオプション（Modem Option）と呼ばれる方式（以下、コアキシャルインターフェイス方式と呼称する）が規定されている。
【０００６】
図９に示すように、コアキシャルインターフェイス方式を用いたアンテナ制御システム９１では、アンテナ１０と無線機１１とを接続する給電線１２の途中に、ＢＳモデム１３とアンテナモデム１４と呼ばれる２つのモデムを設け、これらＢＳモデム１３とアンテナモデム１４を使用して、給電線１２を経由してＡＩＳＧデバイス１７用の制御信号や電源信号を伝送する。
【０００７】
ＢＳモデム１３は、無線機１１の近傍（例えば鉄塔の下部）に設けられ、制御ケーブル１５を介して制御装置（ＡＩＳＧ制御装置）１６が接続される。アンテナモデム１４は、アンテナ１０の近傍（例えば鉄塔の上部）に設けられ、制御ケーブル１５を介してＡＩＳＧデバイス１７が接続される。
【０００８】
図１０に示すように、従来のＢＳモデム１３では、制御装置１６から入力ＡＩＳＧコネクタ２１を介して入力された制御信号（ＲＳ４８５Ａ，ＲＳ４８５Ｂ）を、モデム回路２２にて変調して変調信号（ＡＩＳＧコアキシャルインターフェイス変調信号、搬送派周波数２．１７６ＭＨｚのオン−オフ−キーイング信号）を生成し、その変調信号と制御装置１６から入力された電源信号とを合成回路２３で合成し、その合成した信号（ＡＩＳＧコアキシャルインターフェイス信号、以下、単にＡＩＳＧ信号という）をバイアスＴ回路（Bias Tee）２４に出力する。バイアスＴ回路２４は、直流遮断用のキャパシタ（容量素子）と交流遮断用のインダクタ（誘導素子）とを組み合わせて構成され、合成回路２３から入力されたＡＩＳＧ信号を、無線機１１から入力側ＲＦコネクタ２５を介して入力された給電信号（ＲＦ信号）に重畳して、出力側ＲＦコネクタ２６からアンテナ１０側の給電線１２に出力する。
【０００９】
図１１に示すように、アンテナモデム１４では、ＢＳモデム１３から入力側ＲＦコネクタ３１を介して入力された給電信号（ＡＩＳＧ信号を重畳した給電信号）をバイアスＴ回路３２に入力し、バイアスＴ回路３２にて、給電信号からＡＩＳＧ信号を分離する。分離後の給電信号は、出力側ＲＦコネクタ３３から、アンテナ１０側の給電線１２に出力される。バイアスＴ回路３２で分離されたＡＩＳＧ信号は、分離回路３４にてさらに変調信号と電源信号とに分離され、分離された変調信号はモデム回路３５で復調されて制御信号に戻され、その復調された制御信号と、分離回路３４で分離された電源信号とが、出力ＡＩＳＧコネクタ３６を介してＡＩＳＧデバイス１７に出力される。
【００１０】
ＢＳモデム１３のモデム回路２２と、アンテナモデム１４のモデム回路３５としては、同じ構成のものを用いるのが一般的である。図１２に示す構成例のように、モデム回路２２，３５は、ＲＳ４８５インターフェイス１１１に入力された制御信号（ＲＳ４８５規格信号）を、変調回路１１２で変調して変調信号を生成し、生成した変調信号を方向性結合器１１３から外部に出力するように構成されると共に、方向性結合器１１３に入力された変調信号を、復調回路１１４で復調して制御信号に戻し、ＲＳ４８５インターフェイス１１１から外部に出力するように構成されている。モデム回路２２，３５の電源回路１１５は、制御装置１６から供給される電源を利用し、入力される電源電圧をモデム回路２２，３５用の電圧に変換して、ＲＳ４８５インターフェイス１１１、変調回路１１２、復調回路１１４に出力するように構成されている。
【００１１】
このようなコアキシャルインターフェイス方式を採用することにより、鉄塔の上部から下部にわたって給電線１２のみを敷設すればよいこととなり、工事費も含めたアンテナ制御システムのトータルコストを大幅に抑制することが可能になる。
【先行技術文献】
【特許文献】
【００１２】
【特許文献１】特表２０１０−５１９８０４号公報
【発明の概要】
【発明が解決しようとする課題】
【００１３】
ところで、表１に示すように、ＡＩＳＧ規格では、＋１２Ｖ（１番）、−４８Ｖ（２番）、１０〜３０Ｖ（６番）の３種類の電源が用意されている。なお、表１は、ＡＩＳＧ規格にて規定されているコネクタの端子の番号（Pin Number）、各端子で伝搬する信号（Signal）、必須接続（Mandatory）であるか任意接続（Optional）であるかという要求（Requirement）を示したものであり、８番のＮＣは無接続（No Connection）を意味している。
【００１４】
【表１】
2013183340.tif 000003
【００１５】
上述のコアキシャルインターフェイス方式のアンテナ制御システム９１では、同軸ケーブルからなる給電線１２を介して電源信号を伝送しており、同軸ケーブルは中心導体と外部導体の２つの導体しか備えていないので、１種類の電源（例えば、必須接続である１０〜３０Ｖ電源）しか伝送することができない。
【００１６】
給電線１２を介して伝送する電源の種類（電源電圧）は、ＢＳモデム１３により決まるが、通常、アンテナモデム１４では使用できる電源電圧が固定であるため、ＢＳモデム１３から供給する電源電圧がアンテナモデム１４で使用できる電源電圧と異なる場合には、アンテナモデム１４が正常に動作せずシステム全体に不具合が発生してしまうおそれがある。
【００１７】
１０〜３０Ｖ電源は必須接続となっているため、現在では、１０〜３０Ｖ電源を給電するようにＢＳモデム１３を構成しておけば、上述の問題はほぼ回避できる。しかし、古いアンテナ制御システムでは、アンテナモデム１４やＡＩＳＧデバイス１７が＋１２Ｖ電源のみを使用するものである場合もあり、また、電圧の絶対値を大きくすれば小電流でも大電力を供給でき、制御ケーブル１５等での電圧降下を抑制して電力効率を向上できることから、将来的には、−４８Ｖ電源を使用するアンテナ制御システムが増えると考えられる。よって、アンテナ制御システムの柔軟性や拡張性を高めるためにも、コアキシャルインターフェイス方式で伝送する電源を選択可能なＢＳモデム１３が望まれる。
【００１８】
本発明は、上記事情に鑑み為されたものであり、コアキシャルインターフェイス方式で伝送する電源を選択可能なＢＳモデム及びアンテナ制御システムを提供することを目的とする。
【課題を解決するための手段】
【００１９】
本発明は上記目的を達成するために創案されたものであり、ＡＩＳＧ規格に準拠してアンテナの制御を行うＡＩＳＧデバイスと、前記ＡＩＳＧデバイスに制御信号と電源信号を送信する制御装置と、前記アンテナと無線機とを接続する給電線の途中に設けられると共に、前記ＡＩＳＧデバイスが接続され、入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、を備えたアンテナ制御システムに用いられ、前記アンテナモデムよりも前記無線機側の前記給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムであって、電圧の異なる電源信号を伝送する電源ラインが複数接続され、当該複数の電源ラインのうち、所望の電源ラインからの電源信号を前記給電線に出力するように切り替える電源切替回路を備えたＢＳモデムである。
【００２０】
前記制御装置と別体に設けられた給電装置が接続される外部電源入力用コネクタをさらに備え、前記給電装置から前記外部電源入力用コネクタを介して入力された電源信号を、当該電源信号の電圧に応じた電源ラインを介して前記電源切替回路に入力するように構成してもよい。
【００２１】
前記制御装置から入力された電源信号から、当該電源信号と異なる電圧の電源信号を生成して出力するＤＣ／ＤＣコンバータをさらに備え、前記制御装置から入力された電源信号と前記ＤＣ／ＤＣコンバータで生成した電源信号とを、電源信号の電圧に応じた電源ラインを介して前記電源切替回路に入力するように構成してもよい。
【００２２】
前記電源切替回路から前記給電線に出力される電源信号の電圧を表示する表示手段をさらに備えてもよい。
【００２３】
また、本発明は、ＡＩＳＧ規格に準拠してアンテナの制御を行うＡＩＳＧデバイスと、前記ＡＩＳＧデバイスに制御信号と電源信号を送信する制御装置と、前記アンテナと無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、モデム回路にて変調信号を復調して制御信号に戻し、制御信号と電源信号を前記ＡＩＳＧデバイスに、分離後の給電信号を前記アンテナ側の前記給電線に出力するアンテナモデムと、を備えたアンテナ制御システムにおいて、前記ＢＳモデムは、電圧の異なる電源信号を伝送する電源ラインが複数接続され、当該複数の電源ラインのうち、所望の電源ラインからの電源信号を前記給電線に出力するように切り替える電源切替回路を備えたアンテナ制御システムである。
【発明の効果】
【００２４】
本発明によれば、コアキシャルインターフェイス方式で伝送する電源を選択可能なＢＳモデム及びアンテナ制御システムを提供できる。
【図面の簡単な説明】
【００２５】
【図１】（ａ）は、本発明の一実施の形態に係るＢＳモデムを用いたアンテナ制御システムの概略構成図であり、（ｂ）はＢＳモデムの概略構成図である。
【図２】（ａ），（ｂ）は、図１（ｂ）のＢＳモデムに用いる電源切替回路の変形例を示す図である。
【図３】（ａ），（ｂ）は、図１（ｂ）のＢＳモデムに用いる電源切替回路のトリガーの一例を示す説明図である。
【図４】本発明の他の実施の形態に係るＢＳモデムの概略構成図である。
【図５】（ａ）は、本発明の他の実施の形態に係るＢＳモデムの概略構成図であり、（ｂ）は（ａ）のＢＳモデムを用いたアンテナ制御システムの概略構成図である。
【図６】本発明の他の実施の形態に係るＢＳモデムの概略構成図である。
【図７】本発明の他の実施の形態に係るＢＳモデムの概略構成図である。
【図８】本発明の他の実施の形態に係るＢＳモデムの概略構成図である。
【図９】従来のアンテナ制御システムの概略構成図である。
【図１０】図９の従来のアンテナ制御システムに用いる従来のＢＳモデムの概略構成図である。
【図１１】図９の従来のアンテナ制御システムに用いるアンテナモデムの概略構成図である。
【図１２】図１０のＢＳモデム、図１１のアンテナモデムに用いるモデム回路の概略構成図である。
【発明を実施するための形態】
【００２６】
以下、本発明の実施の形態を添付図面にしたがって説明する。
【００２７】
図１（ａ）は、本発明の一実施の形態に係るＢＳモデムを用いたアンテナ制御システムの概略構成図であり、図１（ｂ）はＢＳモデムの概略構成図である。
【００２８】
図１（ａ）に示すように、アンテナ制御システム１は、ＡＩＳＧ規格に準拠してアンテナ１０の制御を行うＡＩＳＧデバイス１７と、ＡＩＳＧデバイス１７に制御信号を送信し、ＡＩＳＧデバイス１７を制御してアンテナ１０の制御を行うと共に、ＡＩＳＧデバイス１７にＡＩＳＧ規格にて規定される一の電圧の電源信号を送信する制御装置１６と、アンテナ１０とアンテナ１０に給電を行う無線機１１とを接続する給電線１２の途中に設けられた本発明のＢＳモデム２と、ＢＳモデム２よりもアンテナ１０側の給電線１２の途中に設けられたアンテナモデム１４と、を備えている。
【００２９】
ＢＳモデム２は、制御装置１６から入力ＡＩＳＧコネクタ（オスコネクタ）２１を介して入力された制御信号を変調して変調信号を生成し、その変調信号と制御装置１６から入力された電源信号とを合成した信号（ＡＩＳＧ信号）を、無線機１１から入力側ＲＦコネクタ２５を介して入力された給電信号に重畳して、出力側ＲＦコネクタ２６から、アンテナ１０側の給電線１２に出力するものである。ＢＳモデム２の詳細については後述する。入力ＡＩＳＧコネクタ２１は、ＡＩＳＧ規格に準拠した一般的なコネクタ（ＡＩＳＧコネクタ）であり、ＲＦコネクタ２５，２６は、一般的な同軸ケーブル用のコネクタである。
【００３０】
アンテナモデム１４は、ＢＳモデム２から入力側ＲＦコネクタ３１を介して入力された給電信号からＡＩＳＧ信号を分離すると共に、ＡＩＳＧ信号を変調信号と電源信号とに分離し、変調信号を復調して制御信号に戻し、制御信号と電源信号を出力ＡＩＳＧコネクタ３６からＡＩＳＧデバイス１７に、分離後の給電信号を出力側ＲＦコネクタ３３からアンテナ１０側の給電線１２に出力するものである。アンテナモデム１４は、従来より用いられている一般的なアンテナモデムであり、図１１で説明したものと同じものである。出力ＡＩＳＧコネクタ３６は、ＡＩＳＧ規格に準拠した一般的なコネクタ（ＡＩＳＧコネクタ）であり、ＲＦコネクタ３１，３３は、一般的な同軸ケーブル用のコネクタである。
【００３１】
ＢＳモデム２は、無線機１１の近傍（例えば鉄塔の下部）に設けられ、制御ケーブル１５を介して制御装置１６が接続される。アンテナモデム１４は、アンテナ１０の近傍（例えば鉄塔の上部）に設けられ、制御ケーブル１５を介してＡＩＳＧデバイス１７が接続される。
【００３２】
制御ケーブル１５は、制御信号を伝送する制御信号線と電源信号を伝送する電源線とを備えており、その両端には、オスコネクタ１５ａとメスコネクタ１５ｂがそれぞれ設けられている。また、制御装置１６には出力コネクタ（メスコネクタ）１６ａが、ＡＩＳＧデバイス１７には入力コネクタ（オスコネクタ）１７ａが設けられている。これらコネクタ１５ａ，１５ｂ，１６ａ，１７ａは、ＡＩＳＧ規格に準拠した一般的なコネクタ（ＡＩＳＧコネクタ）である。なお、図示していないが、ＡＩＳＧデバイス１７には、出力コネクタ（メスコネクタ）が設けられており、複数台のＡＩＳＧデバイス１７をデイジーチェーン接続できるようになっている。
【００３３】
制御ケーブル１５のオスコネクタ１５ａを制御装置１６の出力コネクタ１６ａに接続し、その制御ケーブル１５のメスコネクタ１５ｂをＢＳモデム２の入力ＡＩＳＧコネクタ２１に接続することで、制御装置１６とＢＳモデム２とが制御ケーブル１５を介して接続される。また、ＢＳモデム２の入力側ＲＦコネクタ２５には、無線機１１から延びる給電線１２が接続され、これにより、無線機１１とＢＳモデム２とが給電線１２を介して接続される。
【００３４】
さらに、制御ケーブル１５のオスコネクタ１５ａをアンテナモデム１４の出力ＡＩＳＧコネクタ３６に接続し、その制御ケーブル１５のメスコネクタ１５ｂをＡＩＳＧデバイス１７の入力コネクタ１７ａに接続することで、アンテナモデム１４とＡＩＳＧデバイス１７とが制御ケーブル１５を介して接続される。また、アンテナモデム１４の出力側ＲＦコネクタ３３には、アンテナ１０に延びる給電線１２が接続され、これにより、アンテナモデム１４とアンテナ１０とが給電線１２を介して接続される。
【００３５】
さらにまた、給電線１２の一端をＢＳモデム２の出力側ＲＦコネクタ２６に接続し、その給電線１２の他端をアンテナモデム１４の入力側ＲＦコネクタ３１に接続することで、ＢＳモデム２とアンテナモデム１４とが給電線１２を介して接続される。
【００３６】
次に、ＢＳモデム２について説明する。
【００３７】
上述のように、ＡＩＳＧ規格では、電圧の異なる３種類の電源（１０〜３０Ｖ、＋１２Ｖ、−４８Ｖ）が用意されているが、ここでは制御装置１６からＢＳモデム２に３種類全ての電源が供給されているとする。
【００３８】
図１（ｂ）に示すように、ＢＳモデム２は、制御装置１６から入力ＡＩＳＧコネクタ２１を介して入力された制御信号（ＲＳ４８５Ａ，ＲＳ４８５Ｂ）を変調して変調信号を生成するモデム回路２２と、モデム回路２２で生成した変調信号と制御装置１６から入力された電源信号とを合成する合成回路２３と、合成回路２３で合成した信号（ＡＩＳＧ信号）を、無線機１１から入力側ＲＦコネクタ２５を介して入力された給電信号に重畳して、出力側ＲＦコネクタ２６からアンテナ１０側の給電線１２に出力するバイアスＴ回路２４と、を備えている。
【００３９】
本実施の形態に係るＢＳモデム２では、電圧の異なる電源信号を伝送する電源ラインが複数接続され、当該複数の電源ラインのうち、所望の電源ラインからの電源信号を給電線１２に出力するように切り替える電源切替回路３をさらに備えている。合成回路２３は、モデム回路２２で生成した変調信号と、電源切替回路３から入力された電源信号とを合成して、バイアスＴ回路２４に出力するように構成される。
【００４０】
電源ラインとなる入力ＡＩＳＧコネクタ２１の１番（＋１２Ｖ）、２番（−４８Ｖ）、６番（１０〜３０Ｖ）の端子は、内部配線により電源切替回路３の入力に電気的に接続され、電源切替回路３の出力は合成回路２３の電源信号の入力に電気的に接続される。なお、３つの電源ラインのうち１つ（例えば、必須接続である１０〜３０Ｖの電源ライン）は、モデム回路２２の電源回路に電気的に接続され、モデム回路２２に電源が供給されるようになっている。なお、モデム回路２２は、図１２で説明したものと同じものである。
【００４１】
入力ＡＩＳＧコネクタ２１の３，５番（ＲＳ４８５Ａ，ＲＳ４８５Ｂ）のピン端子は、内部配線によりモデム回路２２の制御信号の入出力部（ＲＳ４８５インターフェイス）と電気的に接続され、モデム回路２２の変調信号の入出力部（方向性結合器）は、内部配線により合成回路２３の変調信号の入力と電気的に接続される。
【００４２】
本実施の形態では、電源切替回路３として、３接点のスイッチを用いている。共通端子となる出力端子は合成回路２３の電源信号の入力に電気的に接続され、接点となる３つの入力端子には、各電源ライン（入力ＡＩＳＧコネクタ２１の１，２，６番の端子）がそれぞれ電気的に接続される。電源切替回路３に用いるスイッチは機械式（リレー等）、電子式のいずれでもよい。電源切替回路３として電源が必要なものを用いる場合には、任意の電源ラインから電源切替回路３に給電するよう構成すればよい。
【００４３】
なお、本実施の形態では、電源切替回路３として、３接点のスイッチを用いたが、図２（ａ）に示すように、２接点のスイッチ４１を２つ用い、１段目のスイッチ４１の出力端子（共通端子）を２段目のスイッチ４１の一方の入力端子（接点となる端子）に電気的に接続することで、３接点のスイッチと同様の動作をさせるよう構成することも可能である。また、図２（ｂ）に示すように、１接点（オンオフ動作型）のスイッチ４２を各電源ラインに設け、出力する電源ラインのスイッチ４２のみを閉じ、その他のスイッチ４２を開放するよう制御することで、所望の電源ラインからの電源信号を給電線１２に出力するように切り替えるよう電源切替回路３を構成してもよい。
【００４４】
また、電源切替回路３の切替のトリガとしては、図３（ａ）に示すように、外部から切替制御信号用入力端子４３を介して入力される切替制御信号を用いてもよいし、図３（ｂ）に示すように、筐体表面に手動操作用の操作スイッチ４４を設け、その操作スイッチ４４の操作をトリガとして切替を行うようにしてもよい。
【００４５】
本実施の形態の作用を説明する。
【００４６】
本実施の形態に係るＢＳモデム２では、電圧の異なる電源信号を伝送する電源ラインが複数接続され、当該複数の電源ラインのうち、所望の電源ラインからの電源信号を給電線１２に出力するように切り替える電源切替回路３を備えている。
【００４７】
電源切替回路３を備えることにより、コアキシャルインターフェイス方式で伝送する電源を選択可能となり、アンテナモデム１４やＡＩＳＧデバイス１７で使用する電源を選択して給電することが可能になる。
【００４８】
換言すれば、本発明によれば、アンテナモデム１４やＡＩＳＧデバイス１７で使用する電源に応じて、所望の電源を給電することが可能になる。その結果、特定の電源のみを使用する古いアンテナ制御システムにもＢＳモデム２を容易に組み込むことが可能になり、また、アンテナモデム１４やＡＩＳＧデバイス１７で使用する電源を変更する場合にも電源切替回路３を切り替えるのみで容易に対応が可能となり、アンテナ制御システム１の柔軟性や拡張性を高めることが可能になる。
【００４９】
次に、本発明の他の実施の形態を説明する。
【００５０】
図４に示すＢＳモデム４１は、図１（ｂ）のＢＳモデム２において、電源切替回路３を１つの２接点のスイッチで構成し、２つの電源ラインを切替可能に構成したものである。このように、３種類の電源全てを選択可能に構成せずとも、２種類の電源のいずれを用いるかを選択可能に電源切替回路３を構成することも可能である。なお、選択可能とする２種類の電源は、システム構成に応じて適宜決定すればよい。ＢＳモデム４１によれば、電源切替回路３を１つの２接点のスイッチで構成できるので、回路構成が簡単になり低コスト化が可能になる。
【００５１】
図５（ａ），（ｂ）に示すＢＳモデム５１は、図１（ｂ）のＢＳモデム２において、制御装置１６と別体に設けられた給電装置５３が接続される外部電源入力用コネクタ５２をさらに備えたものである。
【００５２】
図５（ｂ）に示すように、給電装置５３は、ＡＩＳＧ規格にて規定された電圧（１０〜３０Ｖ，＋１２Ｖ，−４８Ｖ）の電源信号を生成して出力するものであり、給電用ケーブル５４により外部電源入力用コネクタ５２に接続される。ここでは、給電装置５３として、３種類全ての電源を生成して出力するものを用いる場合を説明する。この場合、給電用ケーブル５４としては、３つの電源ラインとＤＣリターンラインに対応した４本の電線を備えるものを用いる必要がある。給電装置５３へは商用電源、あるいは別の直流電源装置から電源を供給するよう構成すればよい。なお、給電装置５３はどこに設置してもよい。
【００５３】
図５（ａ）では、外部電源入力用コネクタ５２が３種類の電源に対応した３つの電源ライン用の端子と、ＤＣリターンライン用の端子を備えており、各電源ライン用の端子を電源切替回路３の対応する入力端子に電気的に接続し、ＤＣリターンライン用の端子をＢＳモデム２内でＤＣリターンラインに電気的に接続するように構成している。つまり、ＢＳモデム５１では、給電装置５３から外部電源入力用コネクタ５２を介して入力された電源信号が、当該電源信号の電圧に応じた電源ラインを介して電源切替回路３に入力されるよう構成されている。
【００５４】
なお、ここでは、給電装置５３として３種類の電源全てを給電可能なものを用いる場合を説明したが、これに限らず、給電装置５３として１種類または２種類の電源のみを給電するものを用いてもよい。この場合、給電用ケーブル５４としては、給電装置５３が給電する電源の数に応じて２本または３本の電線を備えるものを用いればよく、また、外部電源入力用コネクタ５２としては、給電装置５３が給電する電源に対応した電源ライン用の端子のみを備えたものを用いればよい。
【００５５】
ＢＳモデム５１によれば、給電装置５３からの給電により電源信号を安定して伝送できるので、制御装置１６をＢＳモデム２から離れた位置に配置することが可能になる。また、制御装置１６で給電していない電源についても、給電装置５３を用いて給電することが可能になる。
【００５６】
図６に示すＢＳモデム６１は、図５のＢＳモデム５１において、入力ＡＩＳＧコネクタ２１の１，２，６番の端子と電源切替回路３を接続する内部配線、および、外部電源入力用コネクタ５２の電源ライン用の端子と電源切替回路３を接続する内部配線のそれぞれに、電流の逆流を防止するためのダイオード６２を設けたものである。
【００５７】
１０〜３０Ｖの電源ライン、＋１２Ｖの電源ラインに設けられるダイオード６２は、入力ＡＩＳＧコネクタ２１または外部電源入力用コネクタ５２側がアノード、電源切替回路３側がカソードとなるように設けられる。−４８Ｖの電源ラインに設けられるダイオード７２は、入力ＡＩＳＧコネクタ２１または外部電源入力用コネクタ５２側がカソード、電源切替回路３側がアノードとなるように設けられる。
【００５８】
入力ＡＩＳＧコネクタ２１はオス型のコネクタであり、電源用の入力コネクタである外部電源入力用コネクタ５２としても通常オス型のコネクタが用いられるが、オス型のコネクタでは端子が外部に露出しているので、例えば外部電源入力用コネクタ５２に給電装置５３が接続されて給電が行われているときに入力ＡＩＳＧコネクタ２１が非接続の状態であると、その非接続の入力ＡＩＳＧコネクタ２１の露出した端子に金属等が接触することによりショートが発生してしまったり、あるいは露出した端子に指等が接触することにより感電してしまうおそれが生じる。ＢＳモデム６１によれば、ダイオード６２を設けることにより電流の逆流を防止して非接続のコネクタ２１，５２に電圧があらわれないようにすることが可能になるので、ショートや感電のおそれをなくすことができる。
【００５９】
図７に示すＢＳモデム７１は、図１（ｂ）のＢＳモデム１において、制御装置１６から入力された電源信号から、当該電源信号と異なる電圧の電源信号を生成して出力するＤＣ／ＤＣコンバータ７２をさらに備え、制御装置１６から入力された電源信号とＤＣ／ＤＣコンバータ７２で生成した電源信号とを、電源信号の電圧に応じた電源ラインを介して電源切替回路３に入力するように構成したものである。ＢＳモデム７１によれば、制御装置１６で給電する電源以外の電源も選択して、給電線１２に出力することが可能になる。
【００６０】
図８に示すＢＳモデム８１は、図１（ｂ）のＢＳモデム１において、電源切替回路３から給電線１２に出力される電源信号の電圧を表示する表示手段８２をさらに備えたものである。図８では、表示手段８２として、電源切替回路３から出力される電源信号の電圧を検知する電圧検知回路８３と、電圧検知回路８３で検知した電圧を表示する表示器８４からなるものを用いた場合を示している。表示器８４は、ＢＳモデム８１の筐体に設けられ、外部から視認できる位置に設けられる。なお、表示手段８２はこれに限定されるものではなく、例えば、電源切替回路３の切替に連動して表示を切り替えるものなどであってもよい。ＢＳモデム８１によれば、ＢＳモデム８１の筐体外部から、コアキシャルインターフェイス方式で伝送している電源の電圧を目視により容易に判別できるようになる。
【００６１】
本発明は上記実施の形態に限定されるものではなく、本発明の趣旨を逸脱しない範囲で種々の変更を加え得ることは勿論である。
【符号の説明】
【００６２】
１  アンテナ制御システム
２  ＢＳモデム
３  電源切替回路
１０  アンテナ
１１  無線機
１２  給電線
１４  アンテナモデム
１５  制御ケーブル
１６  制御装置
１７  ＡＩＳＧデバイス
【図１】
2013183340.tif 000004
【図２】
2013183340.tif 000005
【図３】
2013183340.tif 000006
【図４】
2013183340.tif 000007
【図５】
2013183340.tif 000008
【図６】
2013183340.tif 000009
【図７】
2013183340.tif 000010
【図８】
2013183340.tif 000011
【図９】
2013183340.tif 000012
【図１０】
2013183340.tif 000013
【図１１】
2013183340.tif 000014
【図１２】
2013183340.tif 000015